(57)【要約】【課題】簡単かつ安価な構成によって地絡電流を検出することができる地絡電流検出器を提供する。【解決手段】地絡電流検出器１００は、地絡事故に基づく地絡電流を検出するための地絡電流検出器において、地絡電流が配電柱を流れると起動するＩＣタグ１と、ＩＣタグ１を配電柱に取り付けるための取り付けバンド２とを備え、ＩＣタグ１は、地絡電流に基づく地絡情報を書き込むためのＩＣチップと、地絡電流に基づく電磁誘導電流が流れるコイルと、コイルに流れる電磁誘導電流に基づいて地絡情報をＩＣチップに書き込む記録部とを有する。【選択図】図３
2007132856.tif 000002
【特許請求の範囲】
【請求項１】
地絡事故に基づく地絡電流を検出するための地絡電流検出器において、
前記地絡電流が配電柱を流れると起動する起動部と、
前記起動部を前記配電柱に取り付けるための取り付け部材とを備えたことを特徴とする地絡電流検出器。
【請求項２】
前記起動部は、ＩＣタグを含む請求項１に記載の地絡電流検出器。
【請求項３】
前記ＩＣタグは、前記地絡電流に基づく地絡情報を書き込むためのＩＣチップと、
前記地絡電流に基づく電磁誘導電流が流れるコイルと、
前記コイルに流れる前記電磁誘導電流に基づいて前記地絡情報を前記ＩＣチップに書き込む記録部とを有する請求項２に記載の地絡電流検出器。
【請求項４】
前記地絡電流が過大であるときは、前記ＩＣタグは破壊される請求項２に記載の地絡電流検出器。
【請求項５】
前記取り付け部材は、前記配電柱に巻きつく位置に設けられる取り付けバンドを含む請求項２に記載の地絡電流検出器。
【請求項６】
前記取り付けバンドには、前記地絡電流を検出するブースターコイルが設けられている請求項５に記載の地絡電流検出器。
【請求項７】
前記取り付けバンドは、磁性体によって構成されている請求項５に記載の地絡電流検出器。
【請求項８】
地絡事故に基づく地絡電流を検出するための地絡電流検出器と、
前記地絡電流検出器と通信可能な親機とを備えた地絡電流検出システムにおいて、
前記地絡電流検出器が、請求項１に記載の地絡電流検出器であることを特徴とする地絡電流検出システム。
【請求項９】
地絡事故に基づく地絡電流を検出するための地絡電流検出方法において、
請求項１に記載の地絡電流検出器へ地絡電流を検出するための問い合わせ信号を送信し、
前記問い合わせ信号に対する前記地絡電流検出器からの応答に基づいて前記配電柱に前記地絡電流が流れたか否かを特定することを特徴とする地絡電流検出方法。
【請求項１０】
前記地絡電流検出器から前記応答がないときに、前記配電柱に前記地絡電流が流れたと特定する請求項９に記載の地絡電流検出方法。
【請求項１１】
前記地絡電流検出器は、請求項３に記載の地絡電流検出器であり、
前記地絡電流検出器から前記地絡情報を含む応答があったときに、前記配電柱に前記地絡電流が流れたと特定する請求項９に記載の地絡電流検出方法。
【発明の詳細な説明】
【技術分野】
【０００１】
本発明は、地絡事故に基づく地絡電流を検出するための地絡電流検出器、地絡電流検出システムおよび地絡電流検出方法に関する。
【背景技術】
【０００２】
地絡事故が発生した支持物を特定する従来の方法としては、開閉器の両側の絶縁抵抗を絶縁抵抗計によって測定し、この測定値に基づいて開閉器のどちら側に事故区間があるかを判定することを繰り返すことによって地絡事故が発生した支持物を特定する方法と、課電式事故探査装置によって事故点を強制的に放電させ、地絡電流が流れる方向を検出器によって検出し、または放電音、放電光によって確認することを繰り返すことによって地絡事故が発生した支持物を特定する方法とが一般的である。
【０００３】
事故が発生した支持物の範囲が絞られている場合は、その範囲の支持物の全てにＣＴおよび地絡電流を検出する装置を設置し、地絡事故が発生した後にこの装置に記録された事故情報を無線を介して収集することによって地絡事故を検出する方法もある（特開平７−２４４０８１号公報（特許文献１））。
【０００４】
また、支持物に設けられた接地線に接地電流が流れたことを表示する装置を設置し、地絡事故が発生した後にその装置の表示を確認することによって地絡事故が発生した支持物を特定する方法もある。
【特許文献１】特開平７−２４４０８１号公報
【特許文献２】特開２０００−０５７４５０号公報
【発明の開示】
【発明が解決しようとする課題】
【０００５】
しかしながら、前述した絶縁抵抗計を使用する方法および課電式事故点探査装置を使用する方法は、事故で停電した線路に適用するものであり、例えば樹木や飛来物の接触等の一時的な要因で発生する地絡等のように、変電所の遮断機が動作した後の再閉路によって事故原因が解消して送電できる場合には、これらの方法を適用することができない。
【０００６】
また、地絡電流を検出および記録する装置および地絡電流が流れたことを検出および記録する装置は、高価であるため、配電線の全体に設置することが困難である。このため、一時的な地絡事故が繰り返し発生する配電線等に限定してこれらの装置を使用し、そして、設置する支持物を必要最小限にとどめる必要がある。さらに、地絡事故の要因がある支持物がこれらの装置を設置した範囲外にあれば、これらの装置の設置位置を再度移動して、次の地絡事故を待つ必要がある。
【０００７】
また、接地線に接地された地絡検出表示装置は、接地線でなく支持物本体に地絡電流が流れる場合には地絡を検出することができない。
【０００８】
本発明の目的は、簡単かつ安価な構成によって地絡電流を検出することができる地絡電流検出器、地絡電流検出システムおよび地絡電流検出方法を提供することにある。
【課題を解決するための手段】
【０００９】
本発明に係る地絡電流検出器は、地絡事故に基づく地絡電流を検出するための地絡電流検出器において、前記地絡電流が配電柱を流れると起動する起動部と、前記起動部を前記配電柱に取り付けるための取り付け部材とを備えたことを特徴とする。
【００１０】
本発明に係る地絡電流検出システムは、地絡事故に基づく地絡電流を検出するための地絡電流検出器と、前記地絡電流検出器と通信可能な親機とを備えた地絡電流検出システムにおいて、前記地絡電流検出器が、本発明に係る地絡電流検出器であることを特徴とする。
【００１１】
本発明に係る地絡電流検出方法は、地絡事故に基づく地絡電流を検出するための地絡電流検出方法において、本発明に係る地絡電流検出器へ地絡電流を検出するための問い合わせ信号を送信し、前記問い合わせ信号に対する前記地絡電流検出器からの応答に基づいて前記配電柱に前記地絡電流が流れたか否かを特定することを特徴とする。
【発明の効果】
【００１２】
本発明によれば、簡単かつ安価な構成によって地絡電流を検出することができる地絡電流検出器、地絡電流検出システムおよび地絡電流検出方法を提供することができる。
【発明を実施するための最良の形態】
【００１３】
本実施の形態に係る地絡電流検出器では、地絡電流が配電柱を流れると起動する起動部が設けられている。このため、地絡電流が配電柱を流れると起動部が起動して地絡電流に基づく地絡情報をＩＣチップに書き込むことができる。その結果、簡単かつ安価な構成によって地絡電流を検出することができる。
【００１４】
この実施の形態では、前記起動部は、ＩＣタグを含むことが好ましい。
【００１５】
前記ＩＣタグは、前記地絡電流に基づく地絡情報を書き込むためのＩＣチップと、前記地絡電流に基づく電磁誘導電流が流れるコイルと、前記コイルに流れる前記電磁誘導電流に基づいて前記地絡情報を前記ＩＣチップに書き込む記録部とを有することが好ましい。
【００１６】
前記地絡電流が過大であるときは、前記ＩＣタグは破壊されることが好ましい。
【００１７】
前記取り付け部材は、前記配電柱に巻きつく位置に設けられる取り付けバンドを含むことが好ましい。
【００１８】
前記取り付けバンドには、前記地絡電流を検出するブースターコイルが設けられていることが好ましい。
【００１９】
前記取り付けバンドは、磁性体によって構成されていることが好ましい。
【００２０】
本実施の形態に係る地絡電流検出システムでは、地絡事故に基づく地絡電流を検出するために本発明に係る地絡電流検出器が設けられている。このため、親機から検出器に問い合わせることにより、検出器のＩＣタグが地絡情報を応答する。その結果、簡単かつ安価な構成によって地絡電流を検出することができる。
【００２１】
本実施の形態に係る地絡電流検出方法では、本実施の形態に係る地絡電流検出器へ地絡電流を検出するための問い合わせ信号を送信し、問い合わせ信号に対する地絡電流検出器からの応答に基づいて配電柱に地絡電流が流れたか否かを特定する。このため、地絡電流が配電柱を流れると検出器が起動して地絡情報を記憶し、親機からの問い合わせに対して応答する。その結果、簡単かつ安価な構成によって地絡電流を検出することができる。
【００２２】
この実施の形態では、前記地絡電流検出器から前記応答がないときに、前記配電柱に前記地絡電流が流れたと特定することが好ましい。
【００２３】
前記地絡電流検出器は、実施の形態に係る地絡電流検出器であり、前記地絡電流検出器から前記地絡情報を含む応答があったときに、前記配電柱に前記地絡電流が流れたと特定することが好ましい。
【００２４】
以下、図面を参照して本発明の実施の形態を説明する。
【００２５】
図１は、本実施の形態に係る地絡電流検出システム２００の構成を示す模式図である。電線が接続された配電柱１１には変圧器１２が設けられている。変圧器１２には、配電柱１１に沿って大地に接地された接地線８が接続されている。電線と配電柱１１との間で地絡事故が起こると、配電柱１１を通って大地へ地絡電流７が流れる。変圧器１２で地絡事故が起こると、接地線８を通って大地へ地絡電流７が流れる。
【００２６】
地絡電流検出システム２００は、地絡事故に基づく地絡電流７を検出するために配電柱１１に取り付けられた地絡電流検出器１００と、地絡電流検出器１００と無線通信可能な親機５０とを含む。
【００２７】
図２は地絡電流検出器１００の外観を示す斜視図であり、図３は地絡電流検出器１００の構成を示す正面図であり、図４は地絡電流検出器１００の構成を説明するための回路図である。
【００２８】
地絡電流検出器１００は、地絡電流７が配電柱１１を流れると起動するＩＣタグ１を備えている。ＩＣタグ１は、地絡電流７に基づく地絡情報を書き込むためのＩＣチップ３と、地絡電流７に基づく電磁誘導電流が流れるコイル４と、コイル４に流れる電磁誘導電流に基づいて地絡情報をＩＣチップ３に書き込む記録回路５とを含む。
【００２９】
地絡電流検出器１００には、ＩＣタグ１を配電柱１１に取り付けるために配電柱１１に巻きつけられる取り付けバンド２が設けられている。取り付けバンド２には、地絡電流７を検出するブースターコイル６が設けられている。ブースターコイル６は、金属コイルによって構成され、地絡電流７の検出感度を調整する。
【００３０】
このように構成された地絡電流検出システム２００の動作を説明する。電線と配電柱１１との間で、または変圧器１２で地絡事故が発生すると、配電柱１１または接地線８を通って地絡電流８が大地へ流れる。そして取り付けバンド２に設けられたブースターコィル６に地絡電流８に基づく電磁誘導電流が流れる。
【００３１】
次にＩＣタグ１に設けられたコイル４に電磁誘導電流が流れてＩＣタグ１が起動する。その後、ＩＣタグ１の記録回路５がコイル４に流れる電磁誘導電流に基づいて地絡情報をＩＣチップ３に書き込む。
【００３２】
地絡電流７が過大であるときは、ＩＣタグ１のコイル４に流れる電磁誘導電流が過大になるため、ＩＣタグ１が破壊される。
【００３３】
そして親機５０は、地絡事故が発生した配電柱を探索するための問い合わせ信号を地絡電流検出器１００へ送信する。次に地絡電流検出器１００は、問い合わせ信号に応じて、ＩＣチップ３に書き込まれた情報を返信する。この場合、記録回路５が地絡電流７に基づく地絡情報をＩＣチップ３に書き込んでいるときは地絡情報が親機５０へ返信され、記録回路５が地絡情報をＩＣチップ３に書き込んでいないときはＩＣチップ３に予め書き込まれたダミーデータが親機５０へ返信される。地絡電流７が過大であるためにＩＣタグ１が破壊されたときは、地絡電流検出器１００はいかなる情報も返信しない。
【００３４】
親機５０は、地絡電流検出器１００からダミーデータが返信されたときは、この地絡電流検出器１００が取り付けられた配電柱１１で地絡事故が発生していないと判断する。地絡電流検出器１００から地絡情報が返信されたとき、または地絡電流検出器１００からいかなる情報も返信されないときは、親機５０は、この地絡電流検出器１００が取り付けられた配電柱１１で地絡事故が発生したと判断する。地絡電流検出器１００は、地絡事故が発生したと推定される範囲に設置された配線柱１１を絞り込み、絞り込んだ配電柱１１に取り付ければよい。
【００３５】
以上のように本実施の形態によれば、地絡電流７が配電柱１１を流れると起動するＩＣタグ１が設けられている。このため、地絡電流７が配電柱１１を流れるとＩＣタグ１が起動して地絡電流７に基づく地絡情報をＩＣチップ３に書き込むことができる。その結果、簡単かつ安価な構成によって地絡電流１１を検出することができる。
【００３６】
前述した実施の形態では、取り付けバンド２にブースターコイル６が設けられた構成を示したが、本発明はこれに限定されない。ブースターコイル６を設けずに、ＩＣタグ１自体のコイル４によって地絡電流７を検出してもよい。
【００３７】
また地絡電流検出器１００は、配電線を構成するすべての配電柱に取り付けてもよい。この場合、親機５０は、地絡事故が発生した配電線に設置した地絡電流検出器１００について、地絡事故が発生した配電柱を探査すればよい。このとき配電線は、送電されていてもよく、停電していてもよい。
【００３８】
図５は本実施の形態に係る他の地絡電流検出器１００Ａの外観を示す斜視図であり、図６は他の地絡電流検出器１００Ａの構成を説明するための回路図である。図１〜図４を参照して前述した地絡電流検出器１００の構成要素と同一の構成要素には同一の参照符号を付している。従って、これらの構成要素の詳細な説明は省略する。
【００３９】
前述した地絡電流検出器１００と異なる点は、取り付けバンド２の替わりに取り付けバンド２Ａが設けられている点である。取り付けバンド２Ａは、磁性体によって構成され、ＩＣタグ１に設けられたコイル４を貫通している。
【００４０】
前述した実施の形態では、ＩＣタグを設けた地絡電流検出器の例を示したが、本発明はこれに限定されず、必ずしもＩＣタグを設ける必要はない。例えば、磁性体によって構成された取り付けバンド２Ａにコイルを設け、このコイルに誘導される出力をターゲットまたは液晶表示器に表示してもよい。
【産業上の利用可能性】
【００４１】
本発明は、地絡事故に基づく地絡電流を検出するための地絡電流検出器、地絡電流検出システムおよび地絡電流検出方法に適用することができる。
【図面の簡単な説明】
【００４２】
【図１】本実施の形態に係る地絡電流検出システムの構成を示す模式図
【図２】本実施の形態に係る地絡電流検出器の外観を示す斜視図
【図３】本実施の形態に係る地絡電流検出器の構成を示す正面図
【図４】本実施の形態に係る地絡電流検出器の構成を説明するための回路図
【図５】本実施の形態に係る他の地絡電流検出器の外観を示す斜視図
【図６】本実施の形態に係る他の地絡電流検出器の構成を説明するための回路図
【符号の説明】
【００４３】
１  ＩＣタグ
２  取り付けバンド
３  ＩＣチップ
４  コイル
５  記録回路
６  ブースターコイル
７  地絡電流
８  接地線
１１  配電柱
５０  親機
１００  地絡電流検出器
２００  地絡電流検出システム
【図１】
2007132856.tif 000003
【図２】
2007132856.tif 000004
【図３】
2007132856.tif 000005
【図４】
2007132856.tif 000006
【図５】
2007132856.tif 000007
【図６】
2007132856.tif 000008